(57)【要約】【課題】ＦＥＴのＯＮ抵抗を負荷のわずかな変動に応じて変えてしまうと、ＦＥＴの応答性によっては出力される電圧に大きな振幅が発生し、設計している電圧精度の範囲を超えて動作してしまうという課題がある。【解決手段】制御装置１１６が機種切替信号２０１を調整手段２０２に出力し、調整手段２０２はＦＥＴ２０３のＯＮ抵抗を変更する。【選択図】図５
2018180748.tif 000002
【特許請求の範囲】
【請求項１】
画像処理装置は自身の状態遷移を制御する制御信号を出力する制御装置と、前記制御装置は機種切替信号を出力し、電界効果トランジスタを介して外部装置に電源を供給し、前記電界効果トランジスタはゲート側に前記機種切替信号を入力することでＯＮ抵抗を調整可能な調整手段を持つことを特徴とする画像処理装置。
【請求項２】
前記調整手段は電源と、抵抗Ａと、抵抗Ｂとで構成されることを特徴とする請求項１に記載の画像処理装置。
【請求項３】
前記機種切替信号は機種切替信号表に基づいて決まることを特徴とする請求項１又は請求項２に記載の画像処理装置。
【発明の詳細な説明】
【技術分野】
【０００１】
本発明は、画像処理装置の電源制御に用いるＦＥＴを動的制御する方法に関する。
【背景技術】
【０００２】
従来、画像処理装置の電源制御はＦＥＴ（Ｆｉｅｌｄ―ＥｆｆｅｃｔＴｒａｎｓｉｓｔｏｒ）を用いて電源シーケンスを制御し、画像処理装置の状態を制御することで高速で複雑な動作を可能にさせているのが一般的である。
【０００３】
近年は画像処理装置に対する電力低減の要望が高まりより電力消費が低い電源制御が求められている。その為、電源制御は今までよりも低い電源を制御するようになり、電源制御に用いているＦＥＴの負荷によってはＯＮ抵抗での電圧ドロップにより所望の電圧が出力されないことがあり、ＯＮ抵抗が低い部品にする必要がある。一方で画像処理装置のシステム制御を行っているコントローラ基板の開発費削減が重要な課題としてある。その為、複数の画像処理装置のモデルに対応できるようにモデル間で共通回路構成を持つコントローラ基板の開発を行い、コントローラ基板の設計開発にかかる開発費を削減する手法がある。参考として、負荷に応じてＦＥＴのＯＮ抵抗を可変にしている回路構成を持つ先行文献がある（特許文献１）。
【先行技術文献】
【特許文献】
【０００４】
【特許文献１】特開２０１５−８２７１８号公報
【発明の概要】
【発明が解決しようとする課題】
【０００５】
しかしながら、ＦＥＴのＯＮ抵抗を負荷のわずかな変動に応じて変えてしまうと、ＦＥＴの応答性によっては出力される電圧に大きな振幅が発生し、設計している電圧精度の範囲を超えて動作してしまうという課題がある。
【課題を解決するための手段】
【０００６】
画像処理装置は自身の状態遷移を制御する制御信号を出力する制御装置と、前記制御装置は機種切替信号を出力し、電界効果トランジスタを介して外部装置に電源を供給し、前記電界効果トランジスタはゲート側に前記機種切替信号を入力することでＯＮ抵抗を調整可能な調整手段を持つことを特徴とする画像処理装置。
【発明の効果】
【０００７】
機種毎にＦＥＴを変更する必要がなくなり、共通モジュールの部品をコストダウンでき、設計している電圧精度の品質を安定させることが可能となる。
【図面の簡単な説明】
【０００８】
【図１】本発明の実施の形態における画像処理装置１０のシステム制御構成を示すブロック図である。
【図２】制御装置１１６及び調整手段２０２、ＦＥＴ２０２の接続構成を示すブロック図である。
【図３】調整手段２０２の実施例を示すブロック図である。
【図４】機種切替信号２０１の例を示す図である。
【図５】本発明の実施の形態におけるフローチャートを示すフローチャート図である。
【発明を実施するための形態】
【０００９】
以下、本発明を実施するための形態について、図面を参照しながら説明する。
【実施例】
【００１０】
図１は、本発明の実施の形態における画像処理装置１０のシステム制御構成を示すブロック図である。以下、本発明を実施する為の最良の形態について図１を用いて説明する。
【００１１】
１００はシステム制御コントローラであり、ＭＦＰ（Ｍｕｌｔｉ  Ｆｕｎｃｔｉｏｎ  Ｐｅｒｉｐｈｅｒａｌ）のコントローラ機能を有するものである。操作部１０１、スキャナ部１０９、プリンタ部１１２と電気的に接続されており、また、ＬＡＮ（Ｌｏｃａｌ  Ａｒｅａ  Ｎｅｔｗｏｒｋ）を介してパーソナルコンピュータや外部の装置等と画像データやデバイス情報の通信が可能となっている。
【００１２】
ＣＰＵ１０５（Ｃｅｎｔｒａｌ  Ｐｒｏｃｅｓｓｉｎｇ  Ｕｎｉｔ）は、画像処理装置１０のブートプログラムが格納されているＲＯＭ１０６（Ｒｅａｄ  Ｏｎｌｙ  Ｍｅｍｏｒｙ）に基づき、システムバス１１８に接続されたデバイスのアクセスを制御する。ＤＲＡＭ１０３（Ｄｙｎａｍｉｃ  Ｒａｎｄｏｍ  Ａｃｃｅｓｓ  Ｍｅｍｏｒｙ）は、ＣＰＵ１０５が動作する為のシステムワークメモリであり、電源オフにより記憶した内容が消去される。ＳＲＡＭ１０４（Ｓｔａｔｉｃ  Ｒａｎｄｏｍ  Ａｃｃｅｓｓ  Ｍｅｍｏｒｙ）は、記憶した内容を電源オフ後も保持しておくように電池によるバックアップがされている。ハードディスクコントローラ１１３は、画像データのスプール等といった情報記憶を行う。
【００１３】
外部装置である、ディスクドライブ装置として機能するＨＤＤ１１４はＳＡＴＡ  Ｉ／Ｆ（Ｓｅｒｉａｌ  Ａｄｖａｎｃｅｄ  Ｔｅｃｈｎｏｌｏｇｙ  Ａｔｔａｃｈｍｅｎｔ  Ｉｎｔｅｒ  Ｆａｃｅ）を介してＨＤＤ１１４に接続される。
【００１４】
操作部Ｉ／Ｆ１０２は、システムバス１１８と操作部１０１とを接続する為のインタフェース部である。この操作部Ｉ／Ｆ１０２は、操作部１０１に表示する為の画像データをシステムバス１１８から受け取り、操作部１０１に出力すると共に、操作部１０１から入力された情報をシステムバス１１８へと出力する。
【００１５】
ネットワークＩ／Ｆ１１５はＬＡＮ及びシステムバス１１８に接続される。スキャナ部１０９で読み取られた画像データは、スキャナＩ／Ｆ１０８を介してスキャナ画像処理部１０７に送られる。処理された画像データは、ＤＲＡＭ１０３に送られ格納される。この画像データは必要に応じて画像処理が施され、再びＤＲＡＭ１０３に格納され、ＤＲＡＭ１０３からハードディスクコントローラ１１３へ転送される。この画像データはプリンタ画像処理部１１０に送られる。プリンタ画像処理部１１０において処理された画像データはプリンタＩ／Ｆ１１１を介してプリンタ部１１２に送られる。
【００１６】
制御装置１１６は画像処理装置１０の状態遷移を制御する為の制御信号を、システムバス１１８を介してスキャナ画像処理部１０７やプリンタ画像処理部１１０に出力する。制御装置１１６は画像処理装置１０の機種情報に基づいた、制御信号の一つである機種切替信号２０１を出力する。
【００１７】
図２は、システム制御コントローラ１００に電源を供給する電源基板２００と、制御装置１１６と、外部装置であるＨＤＤ１１４に電源基板２００からの電源を供給するＦＥＴ２０３と、ＦＥＴ２０３のＯＮ抵抗を調節する調節手段２０２と、調節手段２０２に入力する機種切替信号２０１を示すブロック図である。
【００１８】
制御装置１１６は電源基板２００から供給される電源を受けるＦＥＴ２０３のＯＮ抵抗を機種毎に調節する手段２０２に機種切替信号２０１を入力することで制御している
図３は、制御装置１１６が機種切替信号２０１を入力する調節手段２０２の実施例を示すブロック図である。
【００１９】
調節手段２０２は機種切替信号２０１を、電源３００の電圧を分圧する抵抗Ａ３０１と抵抗Ｂ３０２の交点で受け、ＦＥＴ２０３は交点の電位に応じてＯＮ抵抗を変更する。ＨＤＤ１１４は電源基板２００がシステム制御コントローラ１００に供給する電源をＦＥＴ２０３経由で受け取る。
【００２０】
図４は、機種切替信号２０１の具体例を示す。
【００２１】
システム制御コントローラ１００は機種Ａに搭載する構成の場合に制御装置１１６は機種切替信号表４００に従って機種Ａ信号を出力し、同様に機種Ｂに搭載する場合は機種Ｂ信号を出力する。
【００２２】
図５は、本発明のフローチャートを示す図である。
【００２３】
画像処理装置１０に搭載されている、システム制御コントローラ１００に含まれる制御装置１１６は画像処理装置１０に対して電源ＯＮされた時にＣＰＵ１０５に対して起動要求を出す（Ｓ１０１）。電源基板２００は制御装置１１６に電源供給を開始する（Ｓ１０２）。
【００２４】
制御装置１１６は機種切替信号２０１に従ってシステム制御コントローラ１００への制御を開始する（Ｓ１０３）。制御装置１１６は機種切替信号２０１から機種Ａか機種Ｂであることを判別する（Ｓ１０４）。機種Ａだと判別した場合はＳ１０５へ移行し、機種Ｂだと判別した場合はＳ１０９へ移行する。電力負荷が小さな機種の場合には制御装置１１６は機種切替信号表４００の中の機種Ａ信号を調整手段２０２に出力する（Ｓ１０４）。制御装置１１６は機種切替信号表４００の中の機種Ａ信号を調整手段２０２に出力する（Ｓ１０５）。調整手段２０２は機種Ａ信号を受け取り（Ｓ１０６）、ＯＮ抵抗を状態Ａに変更する（Ｓ１０７）。ＦＥＴ２０３はＯＮ抵抗の状態に従って電源基板２００から供給される電源をＨＤＤ１１４に供給する（Ｓ１０８）。機種Ｂである場合は、制御装置１１６は機種切替信号表４００の中の機種Ｂ信号を調整手段２０２に出力する（Ｓ１０９）。調整手段２０２は機種Ｂ信号を受け取り（Ｓ１１０）、ＯＮ抵抗を状態Ｂに変更し（Ｓ１１０）、Ｓ１０８へ移行する。
【符号の説明】
【００２５】
１０  画像処理装置、１０５  ＣＰＵ、１１６  制御装置、２０３  ＦＥＴ、
２０１  機種切替信号、２０２  調節手段
【図１】
2018180748.tif 000003
【図２】
2018180748.tif 000004
【図３】
2018180748.tif 000005
【図４】
2018180748.tif 000006
【図５】
2018180748.tif 000007